(57)【特許請求の範囲】
【請求項１】
鉄道線路の側部の構造物に支持される支持金具に一端側が枢支され他端側に接続部を具備する金属製の引手部材と、一端部が前記引手部材の接続部に接続され鉄道線路の上方をこれと交差する方向に延び他端部にトロリ線を支持する金属製のアームパイプとを具備する曲線引金具において、
前記引手部材の接続部は、他端側に開口する筒状の接続筒部からなり、
前記アームパイプの一端部は、内側に中実の金属製芯棒を有し、当該金属製芯棒と共に前記接続筒部に受け入れられ、
前記接続筒部の外周に、その内径を縮小させた圧縮部を有し、当該圧縮部の内側に、前記芯棒および前記アームパイプの一端部が、接続筒部と一体に圧縮接続されていることを特徴とする曲線引金具。
【請求項２】
前記芯棒は、中間に縮小断面部を備え、
前記接続筒部の外周の、前記芯棒の縮小断面部に対応する位置に、前記圧縮部を有することを特徴とする請求項１に記載の曲線引金具。
【請求項３】
前記アームパイプの一端部内に、前記中実の芯棒を挿入し、当該一端部の外周からアームパイプを圧縮することにより、アームパイプと芯棒とを一体に圧縮接続する工程と、
前記引手部材の接続筒部に、前記アームパイプと前記中実の芯棒との圧縮接続部を挿入し、当該接続筒部を外周から圧縮することにより、芯棒、アームパイプ、接続筒部の三者を一体に圧縮接続する工程とを含むことを特徴とする請求項１に記載の曲線引金具の接続方法。
【請求項４】
前記芯棒は中間に縮小断面部を備え、
前記アームパイプと前記芯棒とを一体に圧縮接続する工程において、芯棒の縮小断面部に対応するアームパイプの外周位置を圧縮して、アームパイプの外周に圧縮部を形成し、
前記引手部材の接続筒部と前記アームパイプと前記中実の芯棒との圧縮接続部とを一体に圧縮接続する工程において、前記アームパイプの圧縮部に対応する接続筒部の外周位置を圧縮して、接続筒部の外周に圧縮部を形成することを特徴とする請求項３に記載の曲線引金具の接続方法。
【発明の詳細な説明】
【技術分野】
【０００１】
本発明は、鉄道線路の曲線区間等において、電車線をその延線方向に直交する水平方向の所定位置に定位させるために、支持構造物に対してトロリ線を引き留める曲線引装置のアームパイプの接続構造および接続方法に関するものである。
【背景技術】
【０００２】
従来の曲線引装置として、例えば特許文献１に記載されたものが知られている。この曲線引装置は、トロリ線の上方を横架する鋼管ビームや支柱の腕木などの支持構造物に支持された支持パイプに引手部材を介してアームパイプを連結し、その先端部にトロリ線を把持するためのイヤーを保持している。アームパイプの基端部は、これに引手部材から突出する接続軸部を挿入し、圧縮接続してからリベットを打ち込んで、引手部材と接続している。
【先行技術文献】
【特許文献】
【０００３】
【特許文献１】特開2005-008042号公報
【発明の開示】
【発明が解決しようとする課題】
【０００４】
上記従来の曲線引金具においては、アームパイプに引手部材を挿入し圧縮接続する構造のため、その接続部の強度は、引手部材の接続軸部の太さに依存する。接続軸部の太さは、アームパイプの内径に応じて決定される。このような曲線引金具において、地震等による突発的に大きな荷重が掛かった時に引手部材の接続軸部の根元で破断する事例が確認されている。この部分が破断するのは、接続部において、接続軸部の断面二次モーメントが最も小さく、この部分が弱点箇所となるからである。
これに対して、引手金具の接続軸部の断面積を大きくし、その断面二次モーメントを増大させることにより、補強することが考えられるが、これに対応してアームパイプの内径を拡大すると、アームパイプ自体の強度を維持するためにその外径も大きくせざるを得ず、その結果曲線引金具全体の重量が増してしまい、集電性能の悪化を招く。
そこで本発明は、重量の増加を抑えつつ、地震等の振動に対する強度の向上を図る曲線引金具用のアームパイプの接続構造及びその方法を提供することを課題としている。
【課題を解決するための手段】
【０００５】
本発明の曲線引金具においては、引手部材２の接続部は、アームパイプ３の一端部３ａを受け入れ可能な筒状の接続筒部８である。アームパイプ３の一端部３ａには、中実の金属製芯棒９が挿入される。芯棒９が挿入されたアームパイプ３の一端部３ａが、接続筒部８に挿入される。接続筒部８の外周には、芯棒９、アームパイプ３及び接続筒部８を一体に圧縮接続する圧縮部が形成される。
本発明の曲線引金具の接続方法は、アームパイプ３の一端部３ａ内に、中実の芯棒９を挿入し、当該一端部３ａの外周からアームパイプ３を圧縮することにより、アームパイプ３と芯棒９とを一体に圧縮接続する工程と、引手部材２の接続筒部８に、アームパイプ３と芯棒９との圧縮接続部を挿入し、当該接続筒部８を外周から圧縮することにより、芯棒９、アームパイプ３、接続筒部８の三者を一体に圧縮接続する工程によることができる。
【発明の効果】
【０００６】
本発明の曲線引金具及びその接続方法においては、引手部材２の接続部を接続軸部とし、これをアームパイプ３に挿入して圧着する従来の構造とは異なり、引手部材２の接続部を接続筒部８とし、これに中実の芯棒９が挿入されたアームパイプ３を挿入して圧着する構成であるため、接続部の弱点箇所は、アームパイプ上の、芯棒９との境界部分となる。この部分、すなわちアームパイプ３自体の断面二次モーメントは、従来の引手部材の接続軸部のそれより当然大きい。この結果、アームパイプ３の外径を維持したまま、したがって、アームパイプ３の重量を増加させることなく、アームパイプ３と引手部材２との接続部における弱体箇所の断面二次モーメントを従来に比して増大させることができる。これにより、地震時の過大な振動に対して、十分な強度を得ることができる。アームパイプ３の重量は変更しないため、パンタグラフの集電性能に悪影響を与えることがない。
【図面の簡単な説明】
【０００７】
【図１】本発明に係るアームパイプの接続構造を適用した曲線引金具の正面図である。
【図２】アームパイプの接続部の縦断面図である。
【図３】アームパイプの接続工程を示す説明図である。
【発明を実施するための形態】
【０００８】
本発明の実施の一形態を図面について説明する。
図１において、曲線引金具１は、引手部材２と、引手部材２に接続されるアームパイプ３と、アームパイプ３の先端部に結合されるイヤー保持部材４と、イヤー保持部材４に支持されトロリ線Ｔを把持するイヤー５とを具備する。
【０００９】
図２に示すように、引手部材２の基端部には、支持金具Ｓに枢着される断面ほぼＨ型のアイ部６を備える。アイ部６は、電車線の交差方向に渡る鋼管ビームなどの図示しない構築物に支持金具Ｓを介して鉛直平面上で自由な回転ができるように枢支される。引手部材２の中間部には、曲線引金具１を支持金具Ｓに対してアイ部６を中心に所定の角度範囲で上下に揺動自在に支持するためのばねユニット７を備える。ばねユニット７は、側面がアイ部６に一体に結合するばね受け筒７ａと、このばね受け筒７ａを軸線方向に貫通し、上端部を支持金具Ｓにアイ部６と異なる位置で枢支される引上げロッド７ｂと、ばね受け筒７ａ内で引上げロッド７ｂ周りにばね受け筒７ａと引上げロッド７ｂとの間に保持され、ばね受け筒７ａを引上げロッド７ｂに対して上方に押し上げるばね７ｃとを具備する。ばね受け筒７ａの側面には、アイ部６の反対側に伸びる接続筒部８が軸線方向に一体に結合している。接続筒部８は、アームパイプ３の基端部３ａを挿入して外周を圧縮することにより結合するものである。
【００１０】
アームパイプ３は水平方向から下方へ緩く湾曲した弓形のアルミ合金製管材で構成さる。アームパイプ３は、従来のものと同一寸法の内外径を有し、従って、これを流用できる。アームパイプ３の一端部３ａは開口端から引手部材２の芯棒９が挿入され接続筒部８に圧縮接続され、他端部３ｂにはイヤー保持部材４の接続軸部が圧縮接続される。芯棒９は、アームパイプ３の内部に嵌合する丸棒材の長手方向両端から間隔を置いた中間部に六角柱状の縮小断面部９ａを備え、さらに一端にアームパイプ３の開口径を越えて拡大した鍔部９ｂを有する。
【００１１】
イヤー保持部材４の一端部はアームパイプ３の他端部３ｂに挿入され圧縮接続され、他端部にはトロリ線Ｔを把持するイヤー５が保持される。
【００１２】
この曲線引金具１のアームパイプ３は、引手部材２に以下のようにして接続される。図３（Ａ）に示すように、先ずアームパイプ３の端部３ａに芯棒９を挿入し、同図（Ｂ）に示すように、鍔部９ｂをアームパイプ３の端面に突き当て、アームパイプ３の端部３ａ周りを、芯棒９の縮小断面部９ａに対応する位置で、圧縮工具Ｄにより圧縮してアームパイプ３と芯棒９とを一体化する。次いで同図（Ｃ）に示すように、アームパイプ３の端部３ａを引手部材２の接続筒部８に挿入し、同図（Ｄ）に示すように、突き当たり位置で接続筒部８周りをアームパイプ３の圧縮部に対応する位置で圧縮工具Ｄにより圧縮し、芯棒９、アームパイプ３、接続筒部８の三者を一体に接続する。そして、接続筒部８に芯棒９の縮小断面部９ａのほぼ中央の対応位置で直交方向にリベット１０を打って接続部を補強する。
アームパイプ３の端部３ａに芯棒９を挿入して端部３ａの内部を充実させた上で、端部３ａを引手部材２の接続筒部８に挿入するので、アームパイプ３の外径を増大させることなく、したがって、その重量を増大させることなく、接続部の断面二次モーメントを増大させ、アームパイプ３の振動に対する接続部の強度を向上させることができる。また、アームパイプ３の端部３ａが、圧縮により芯棒９の断面六角形状に縮小変形し、縮小断面部９ａの両端の対応位置に段差が形成されるので、アームパイプ３と引手部材２とが抜け止めされ、引っ張り強度が増す。アームパイプ３は、従来と同様のものをそのまま適用できるので、パンタグラフの集電性能に影響を及ぼさない。
なお、本実施形態においては、アームパイプ３の端部３ａに芯棒９を挿入して、両者を一旦圧縮接続した後、この接続部を接続筒部８に挿入し、再度接続筒部８を圧縮することとしたが、これら二度の圧縮工程を一度にまとめ、芯棒９を挿入したアームパイプ３の端部３ａを接続筒部８と一体に一時に圧縮してもよい。
また、アームパイプ３の端部３ａと引手部材２の接続筒部８との接続部にリベット１０を打ったが、これを省略しても使用に耐える接続強度を有する。
【符号の説明】
【００１３】
１    曲線引金具
２    引手部材
３    アームパイプ
３ａ  端部
４    イヤー保持部材
５    イヤー
６    アイ部
８    接続筒部
９    芯棒
９ａ  縮小断面部
Ｔ    トロリ線
【図１】
0005824220.tif 000002
【図２】
0005824220.tif 000003
【図３】
0005824220.tif 000004